(57)【要約】【課題】  使用環境に応じてエンジンと電動モータのいずれをも動力源として駆動させることが可能な刈払機を提供する。【解決手段】  操作アーム１０の先端には両刃式のカッター１３が着脱自在に取り付けられる。操作アーム１０の後端には従動側ジョイント１７が設けられており、この従動側ジョイント１７には、エンジン１８のエンジン出力側ジョイント３０と電動モータ１９のモータ出力側ジョイント３１とのいずれもが選択的に着脱自在に装着される。電動モータ１９は切替えスイッチ４５により正逆いずれの方向にも回転させることができ、両刃式のカッター１３の正転時と逆転時のいずれでも刈払い作業を行うことができる。【選択図】  図１
2006314277.tif 000002
【特許請求の範囲】
【請求項１】
両刃式の切刃が形成されたカッターが先端に着脱自在に連結され他端に従動側連結部を有する従動軸が回転自在に装着される刈払機本体と、前記刈払機本体に着脱自在に装着され前記カッターを正逆両方向に駆動する電動モータとを有し、
エンジンの出力軸に設けられ前記従動側連結部に連結される駆動側連結部が組み込まれたエンジン出力側ジョイントと、前記電動モータの出力軸に設けられ前記従動側連結部に連結される駆動側連結部が組み込まれたモータ側ジョイントとのいずれもが選択的に着脱自在に装着される従動側ジョイントを前記刈払機本体に設け、
前記刈払機本体に前記電動モータが装着された状態のもとで前記電動モータにより駆動される前記カッターを正転方向と逆転方向とに切り替える切替えスイッチを前記刈払機本体に着脱自在に装着することを特徴とする刈払機。
【請求項２】
請求項１記載の刈払機において、長手方向中央部に作業者により把持されるハンドルが設けられ前記従動軸が挿入される中空棒状の操作アームにより前記刈払機本体を形成することを特徴とする刈払機。
【請求項３】
請求項２記載の刈払機において、前記切替えスイッチをケーブルを介して前記電動モータに接続するとともに前記ハンドルに着脱自在に装着されるホルダに設けることを特徴とする刈払機。
【発明の詳細な説明】
【技術分野】
【０００１】
本発明はエンジンと電動モータのいずれをも動力源としてカッターを駆動し得るようにした刈払機に関する。
【背景技術】
【０００２】
田畑の畦道や川原の土手に生える雑草、山林の下草や牧草等を刈り取るために草刈機とも言われる刈払機が使用されている。刈払機には、操作アームの先端にカッターを取り付け後端に動力源を装着するようにしたアーム連結タイプと、動力源の回転軸に直接カッターを取り付けるようにした直動タイプとがあり、動力源としてはエンジンを装着する場合と電動モータを装着する場合とがある。
【０００３】
電動モータを動力源とする刈払機には、例えば特許文献１に記載されるように、操作アームの先端に電動モータを装着し、電動モータのシャフトにカッターを直接取り付けるようにした直動タイプが多い。エンジンを動力源とする刈払機には、例えば特許文献２に記載されるように、操作アームの先端にカッターを取り付け、後端にエンジンを装着するようにしたアーム連結タイプが多い。
【０００４】
操作アームの先端にカッターを取り付け、後端にエンジンを装着するようにしたアーム連結タイプには、背負い架台にエンジンを搭載するようにした背負い式、操作アームに取り付けられたループ状のベルトを肩に掛けるようにした肩掛け式、及び操作アームに設けられたハンドルを手に持って操作するようにしたハンドル式等があり、ハンドルにはループハンドルと両手ハンドルとがある。これらの刈払機に取り付けられるカッターには複数の切刃が設けられた円板状の金属刃があり、刃数の違いにより４枚刃、８枚刃、及び３０枚以上の切刃が鋸刃状に設けられたものがある。従来は切断エッジを切刃の一方の側面にのみ設けるようにした片刃式の金属刃が多く用いられている。
【特許文献１】実開平５−２６２０号公報
【特許文献２】特開２００４−８０５４号公報
【発明の開示】
【発明が解決しようとする課題】
【０００５】
このような刈払機に片刃式のカッターを取り付けて刈り取り作業を行う場合には、回転するカッターを地面に対してほぼ平行に移動させることにより、進行方向側の切刃の切断面を雑草に接触させてこれを刈り取ることになる。片刃式のカッターが取り付けられたアーム式の刈払機においては、例えば、作業者はアームを右方向に振った位置に戻した後にその位置から左方向に振ることによりカッターを右方向から左方向に移動させながら刈り取り作業を行う。１回アームを揺動させて草刈りを行った後には作業者は前進して同様に右方向にアームを戻した後に左方向に振ることによりカッターを右方向から左方向に移動させながら刈り取り作業を行う。作業者はアームの揺動往復動を所定の草刈り場における草刈りが終了するまで繰り返すことになり、カッターが上から見て左回転する場合には、刈葉は作業者の左方向に吹き飛ばされることになる。
【０００６】
草刈場が川原の土手のような傾斜地である場合には、作業者は土手に沿ってほぼ同じ高さの位置を前進移動しながら刈り取り操作を行うことになり、左下がりの状態で草刈り操作が行われたときには刈葉は傾斜地の低い方に吹き飛ばされる。草刈場の終端まで前進移動した後には、作業者は既に刈り取られた領域の隣りの領域の刈り取り作業を行うために元の位置まで戻る必要がある。元の位置まで戻らずに、身体を反転させて隣りの領域の刈り取り作業を行うと、刈葉が逆方向である傾斜地の高い方に吹き飛ばされることになるからである。このため、全ての刈葉を傾斜地の低い方に吹き飛ばすには、作業者は元の位置まで戻る必要があり、作業性が悪いという問題がある。
【０００７】
本発明の目的は、使用環境に応じてエンジンと電動モータのいずれをも動力源として駆動し得るとともに電動モータにより駆動する際には作業者の左右いずれの方向にも刈葉を吹き飛ばし得るようにすることにある。
【課題を解決するための手段】
【０００８】
本発明の刈払機は、両刃式の切刃が形成されたカッターが先端に着脱自在に連結され他端に従動側連結部を有する従動軸が回転自在に装着される刈払機本体と、前記刈払機本体に着脱自在に装着され前記カッターを正逆両方向に駆動する電動モータとを有し、エンジンの出力軸に設けられ前記従動側連結部に連結される駆動側連結部が組み込まれたエンジン出力側ジョイントと、前記電動モータの出力軸に設けられ前記従動側連結部に連結される駆動側連結部が組み込まれたモータ側ジョイントとのいずれもが選択的に着脱自在に装着される従動側ジョイントを前記刈払機本体に設け、前記刈払機本体に前記電動モータが装着された状態のもとで前記電動モータにより駆動される前記カッターを正転方向と逆転方向とに切り替える切替えスイッチを前記刈払機本体に着脱自在に装着することを特徴とする。
【０００９】
本発明の刈払機は、長手方向中央部に作業者により把持されるハンドルが設けられ前記従動軸が挿入される中空棒状の操作アームにより前記刈払機本体を形成することを特徴とする。
【００１０】
本発明の刈払機は、前記切替えスイッチをケーブルを介して前記電動モータに接続するとともに前記ハンドルに着脱自在に装着されるホルダに設けることを特徴とする。
【発明の効果】
【００１１】
本発明によれば、刈払機本体にエンジンと電動モータとのいずれかを選択的に装着することができ、エンジンと電動モータとをアタッチメントとして用意しておくことにより、刈り取り作業における使用環境に応じて刈払機をエンジン駆動式としてもモータ駆動式としても使用することができる。電動モータによりカッターを駆動する際には、正転方向と逆転方向のいずれの方向にも切断エッジが形成された切刃を有するカッターを刈払機本体に装着し、カッターを正逆いずれの方向にも選択的に回転させることにより、刈葉の吹き飛ばし方向を左右いずれの方向に設定することができる。したがって、例えば、川原の土手のような傾斜地に生える雑草を土手に沿って作業者が移動しながら刈り取る際には、左下がりの状態で草刈り作業をするときと、右下がりの状態で草刈り作業をするときとでカッターの回転方向を逆転させることにより、作業者は身体を反転させて草刈り作業を継続しても、連続的に土手の低地側に向けて刈葉を吹き飛ばす草刈り作業を行うことができる。
【００１２】
本発明によれば、刈払機本体をハンドルが設けられた操作アームにより形成することにより、作業者はハンドルを把持して操作アームを操ることで刈り取り作業を行うことができる。切替えスイッチはホルダによりハンドルに着脱自在に装着することができ、ハンドルのグリップ部分の近くに切替えスイッチを設けることによりハンドルを把持した状態で切替えスイッチを操作することができ作業性が良い。
【発明を実施するための最良の形態】
【００１３】
以下、本発明の実施の形態を図面に基づいて詳細に説明する。図１は本発明の一実施の形態である刈払機を示す斜視図であり、図１（Ａ）は刈払機本体にエンジンを装着した状態を示し、図１（Ｂ）は刈払機本体に電動モータを装着した状態を示す。図１に示す刈払機はアーム連結タイプであり、刈払機本体としての操作アーム１０を有している。操作アーム１０は中空棒状の部材により構成されており、内部には従動軸１１が回転自在に装着されている（図２及び図４参照）。
【００１４】
操作アーム１０の先端部には支持部材１２が取り付けられ、この支持部材１２には金属製のカッター１３が回転自在に取り付けられており、カッター１３は従動軸１１の先端に傘歯車対（図示省略）を介して着脱自在に連結されている。カッター１３は図１に示すように、複数の山形の切刃１４が設けられた円板状の金属刃であり、切刃１４にはカッター１３の正逆両方向側に切断エッジが設けられた両刃式である。操作アーム１０の先端部にはカッター１３の作業者側を覆うようにカバー１５が取り付けられ、作業の安全が図られている。
【００１５】
操作アーム１０の長手方向中央部には２つのハンドル１６が取り付けられ、作業者はハンドル１６を両手で把持することによりカッター１３を地面から持ち上げて移動させることができる。なお、図示する場合には刈払機は操作アーム１０に２つのハンドル１６が取り付けられた両手ハンドル式であるが、これに代えてループハンドル式としても良く、操作アーム１０にループ状の肩掛け用のベルトを取り付けて刈払機を肩掛け式としても良い。
【００１６】
操作アーム１０の後端部には刈払機本体側のジョイントとして従動側ジョイント１７が取り付けられ、操作アーム１０は従動側ジョイント１７の部分で、図１（Ａ）に示すようにエンジン１８と、図１（Ｂ）に示すように電動モータ１９とのいずれもが選択的に着脱自在に装着されるようになっている。
【００１７】
図２は図１（Ａ）における刈払機の一部を示す拡大断面図であり、図３（Ａ）はエンジンの正面図であり、図３（Ｂ）は同図（Ａ）に示すエンジンの側面図である。エンジン１８は４サイクルの単気筒ガソリンエンジンであり、エンジンカバー２０内にはクランク軸からなるエンジン出力軸２１を回転自在に支持するクランクケースが組み込まれており、クランクケースにはピストンが往復動自在に装着されるシリンダ等のエンジン構成部材（図示省略）が組み込まれている。エンジン出力軸２１にはリコイルスタータが設けられており、リコイルノブ２２を引っ張ることによりエンジン１８を始動させることができる。燃料タンク２３内のガソリンを燃料としてエンジンを１７を駆動させると、エンジン出力軸２１に取り付けられた冷却ファン２４がエンジン１８を冷却する。
【００１８】
図４は図１（Ｂ）における刈払機の一部を示す拡大断面図であり、図５（Ａ）は電動モータの正面図であり、図５（Ｂ）は同図（Ａ）に示す電動モータの側面図である。電動モータ１９は略六角柱形状のモータケース２５を有し、このモータケース２５にはアマチュアシャフトからなるモータ出力軸２６が回転自在に支持されており、モータケース２５内にはモータ出力軸２６に固定されるアーマチュアやアーマチュアに対向するマグネット等のモータ構成部材（図示省略）が組み込まれている。また、電動モータ１９の外周部にはリチウムイオン電池等の充電式バッテリ２７が装着されており、このバッテリ２７から供給される電力により電動モータ１９を駆動させることができる。
【００１９】
図６（Ａ）は従動側ジョイントの正面図であり、図６（Ｂ）は同図（Ａ）に示す従動側ジョイントの側面図である。従動側ジョイント１７は操作アーム１０よりも大径のカップ状に形成され操作アーム１０の後端部に取り付けられており、その開口端には正方形状のフランジ部２８が設けられている。フランジ部２８の四隅には締結部材であるボルト２９がねじ込まれる締結孔２８ａが形成されている。
【００２０】
図３（Ａ）に示すように、エンジンカバー２０には締結孔２８ａのそれぞれに対応する締結孔３０ａが形成されたエンジン出力側ジョイント３０が設けられており、従動側ジョイント１７のフランジ部２８にエンジン出力側ジョイント３０を突き合わせた状態で締結孔２８ａ，３０ａのそれぞれにボルト２９をねじ止めすることにより、従動側ジョイント１７にエンジン１８を着脱自在に装着することができる。図５（Ａ）に示すように、モータケース２５には締結孔２８ａのそれぞれに対応する締結孔３１ａが形成されたモータ出力側ジョイント３１が設けられており、従動側ジョイント１７のフランジ部２８にモータ出力側ジョイント３１を突き合わせた状態で締結孔２８ａ，３１ａのそれぞれにボルト２９をねじ止めすることにより、従動側ジョイント１７に電動モータ１９を着脱自在に装着することができる。なお、図２、図３に示す符号３２はゴム製のシール部材である。
【００２１】
このような従動側ジョイント１７の内部には、図２及び図４に示すように、従動軸１１に固定され従動軸１１と一体として回転するクラッチドラム３３が組み込まれており、このクラッチドラム３３により従動側連結部が構成されている。
【００２２】
エンジン出力側ジョイント３０の内部には、図２に示すように、エンジン出力軸２１の先端部に設けられる一対のクラッチシュー３５が組み込まれており、このクラッチシュー３５により駆動側連結部が構成されている。図１（Ａ）に示すように、従動側ジョイント１７にエンジン１８が装着されたときには、これらのクラッチシュー３５とクラッチドラム３３とにより従動軸１１とエンジン出力軸２１との間に遠心クラッチ３６が構成される。
【００２３】
図７は図２における横断面図である。図２に示すように、エンジン出力軸２１には円板状の回転板３７が固定され、図７に示すように、この回転板３７にはピン３８によりクラッチシュー３５が揺動自在に装着されている。それぞれのクラッチシュー３５には引っ張りコイルばね３９が装着されており、この引っ張りコイルばね３９によりクラッチシュー３５のそれぞれには摩擦接触部３５ａがクラッチドラム３３の内周面から離れる方向のばね力が加えられている。
【００２４】
これにより、リコイルノブ２２を引っ張ってエンジン１８を始動させるときには、遠心クラッチ３６が開放状態となっておりリコイルノブ２２には大きな抵抗力が加わらないので容易にエンジン１８を始動させることができる。更に、エンジン１８回転数の上昇にともない増加する遠心力により、クラッチシュー３５は引っ張りコイルばね３９のばね力に抗して拡開しクラッチドラム３３の内周面に押し付けられてクラッチドラム３３と連結され、エンジン出力軸２１は遠心クラッチ３６を介して従動軸１１と直結状態とされることにより従動軸１１を介してカッター１３を回転させて草を刈り取ることができる。
【００２５】
モータ出力軸２６の先端部には駆動側連結部としての一対のクラッチシュー４０が設けられ、これらのクラッチシュー４０はモータ出力側ジョイント３１に組み込まれており、図１（Ｂ）に示すように、従動側ジョイント１７がモータ出力側ジョイント３１に締結されたときには、これらのクラッチシュー４０とクラッチドラム３３とにより従動軸１１とモータ出力軸２６との間に遠心クラッチ４１が構成される。
【００２６】
図４に示すように、モータ出力軸２６には円板状の回転板４２が固定され、この回転板４２にピン（図示省略）を用いてクラッチシュー４０が揺動自在に装着されている。それぞれのクラッチシュー４０には引っ張りコイルばね４３が装着されており、この引っ張りコイルばね４３によりクラッチシュー４０のそれぞれには摩擦接触部４０ａがクラッチドラム３３の内周面から離れる方向のばね力が加えられている。
【００２７】
これにより、電動モータ１９の回転数の上昇にともない増加する遠心力により、クラッチシュー４０は引っ張りコイルばね４３のばね力に抗して拡開しクラッチドラム３３の内周面に押し付けられてクラッチドラム３３と連結され、モータ出力軸２６は遠心クラッチ４１を介して従動軸１１と直結状態とされることにより従動軸１１を介してカッター１３を回転させて草を刈り取ることができる。更に、カッター１３に草が絡まる等してバッテリ２７から駆動電流が供給された状態のままカッター１３の回転が停止したときには、クラッチドラム３３に対してクラッチシュー４０が滑ることによりモータ出力軸２６は回転し続け、電動モータ１９に過電流が流れることが防止される。この電動モータ１９に対して供給される電力を制御することによりモータ出力軸２６の回転数及び回転方向を自在に制御することができる。
【００２８】
図８（Ａ）は図１（Ｂ）に示すハンドルに設けられる切替えスイッチを拡大して示す斜視図であり、図８（Ｂ）は切替えスイッチを有するモータの正逆切り替え回路を示す回路図である。ハンドル１６のグリップ部分の近くには、モータ回転数を制御するための調整ダイアル４４と回転方向を切り替えるための切替えスイッチ４５を有するモータ調節器４６が着脱自在に装着されている。このモータ調節器４６はハンドル１６に着脱自在に装着されるホルダ４７を有しており、図示する場合には、ホルダ４７は断面略Ｃ字形の装着バンド４８を有しており、装着バンド４８はその切り欠き部４８ａで拡開自在となっている。この切り欠き部４８ａにはボルト４９が挿通されるようになっており、切り欠き部４８ａからハンドル１６を嵌め込んだ後、切り欠き部４８ａにボルト４９を挿通させてナット５０を用いて締結することにより、ハンドル１６に対してモータ調節器４６を着脱自在に装着することができる。このモータ調節器４６はケーブル５１を介してを介して電動モータ１９の制御部に接続されており、図１（Ｂ）に示すように、電動モータ１９を操作アーム１０に装着する場合には、ホルダ４７を用いてハンドル１６に着脱自在に装着される。一方、エンジン１８を操作アーム１０に装着する場合には、図１（Ａ）に示すように、モータ調節器４６はハンドル１６から取り外される。
【００２９】
調整ダイアル４４には可変抵抗器（図示省略）が組み込まれており、調整ダイアル４４を回転操作することにより可変抵抗器の抵抗値を変化させることでバッテリ２７から電動モータ１９へ供給される駆動電流を変化させて、電動モータ１９の回転数を調整することができる。電動モータ１９の回転数を調整することにより従動軸１１を介してカッター１３の回転数を調整することができる。
【００３０】
切替えスイッチ４５は、図示する場合には、モータの正逆切り替え回路の正転接点に接続される位置と、逆転接点に接続される位置との二位置に切り替わる押しボタン式のスイッチであり、再び切替えスイッチ４５が押圧されるまでその位置を保持するようになっている。切替えスイッチ４５が正転接点に接続されるとカッター１３は例えば図１（Ｂ）において矢印Ｎで示す正転方向に回転駆動され、切替えスイッチ４５が逆転接点に接続されるとカッター１３は矢印Ｒで示すように逆転方向に回転駆動される。それぞれの回転方向は再び切替えスイッチ４５が押圧されるまで保持されるようになっている。なお、切替えスイッチ４５の形状及び構造は図示する場合に限られず、作業者が操作することにより電動モータ１９の回転方向を正逆両方向に切り替えることができるものであればスライド式、レバー式または回転式のスイッチ等でも良い。
【００３１】
このような刈払機においては、操作アーム１０にエンジン１８を装着して刈り取り作業を行うことができるとともに操作アーム１０に電動モータ１９を装着して刈り取り作業を行うことができる。電動モータ１９によりカッター１３を回転駆動して刈り取り作業を行う際には、ハンドル１６を把持した状態のまま切替えスイッチ４５を指先で操作することによりカッター１３の回転方向を正逆いずれの方向にも回転させることができる。
【００３２】
図９（Ａ）は片刃式のカッターの平面図であり、同図（Ｂ）は両刃式のカッターの平面図である。図９（Ａ）に示すように片刃式のカッター１３ａは、金属製の円板の外周部に鋸刃状の切刃１４が複数設けられており、それぞれの切刃１４はカッター１３ａの回転方向前方側に形成されて径方向に延びる切断エッジ５２と、回転方向後方側に形成されて傾斜面５３とを有し、傾斜面５３には切断エッジが形成されておらず、切断エッジ５２は回転方向一方側にのみ形成されている。これに対して、両刃式のカッター１３は、金属製の円板の外周部に山形の切刃１４が複数設けられており、それぞれの切刃１４はカッター１３の正逆両方向に切断エッジ５２ａ，５２ｂが形成されている。
【００３３】
図９に示した片刃式のカッター１３ａと両刃式のカッター１３のいずれも操作アーム１０に取り付けてエンジン１８と電動モータ１９のいずれかを駆動源として雑草等の刈り取り作業を行うことができるが、図１（Ｂ）に示すように、電動モータ１９を操作アーム１０に装着する場合には両刃式のカッター１３を装着することにより、カッター１３をいずれの方向に回転させても刈り取り作業をすることができる。両刃式のカッター１３が操作アーム１０に装着された状態のもとで駆動源を電動モータ１９からエンジン１８に交換しても、図１（Ｂ）に示すように、両刃式のカッター１３により刈り取り作業を行うことができ、エンジン１８により刈り取り作業を行う場合には、片刃式のカッター１３ａにより刈り取り作業を行うようにしても良い。
【００３４】
図１０（Ａ）は両刃式のカッター１３が装着されるとともに電動モータ１９を駆動源とした刈払機により刈り取り作業をする場合の刈り取り手順を示す概略図であり、草刈場が左右の側辺６１，６２と前後の端辺６３，６４とを有する長方形とすると、図１０（Ａ）において右側の側辺６２に近い領域から刈り取り作業を行う場合には、作業開始側の端辺６４からカッター１３を矢印Ｎで示すように正転方向に回転させた状態のもとで、作業者はまず操作アーム１０を円弧状の矢印で示すように右方向に戻した後に右方向から左方向に振ってカッター１３を右方向から左方向に移動させて刈り取り作業を行う。このように操作アーム１０を揺動させて刈り取り作業を行った後には、作業者は側辺６２に沿って前進移動して同様にカッター１３を右方向に戻した後、左方向にカッター１３を移動することにより刈り取り作業を行うことになる。このように、操作アーム１０を左右に揺動させる操作と作業者の前進移動とを繰り返すことにより刈り取り作業が進行する。
【００３５】
この刈り取り作業においては、刈葉は図１０（Ａ）において左側の側辺６１側に吹き飛ばされることになる。作業終了側の端辺６３にまで進行したら、作業者は姿勢を反転させるとともに、切替えスイッチ４５を操作してカッター１３の回転方向を逆転方向に切り替えて、カッター１３を図１０（Ａ）に示すように進行方向左側から右側に移動させる際に刈り取りを行う。このときには、カッター１３が逆転しているので、刈葉は進行方向右側に吹き飛ばされるので、刈葉は前述した場合と同様に側辺６１側に吹き飛ばされる。このように、刈り取り作業を行う場合には作業開始側の端辺６４から作業終了側の端辺６３に向けて往進するときと、逆方向に復進するときの往復移動の両方において刈り取り作業を行っても、刈葉をいずれも一方の側辺６１側に吹き飛ばすことができる。
【００３６】
これに対して、図１０（Ｂ）に示すように、片刃式のカッター１３ａを刈払機に装着して刈り取り作業を行う場合には、カッター１３ａを正転方向に回転させて刈り取り作業を行うことになるので、一方の端辺６４側から折り返し側の端辺６３に向けて移動しながら側辺６１側に刈葉を吹き飛ばして刈払い作業を行った後に、刈り取り後の領域に隣り合った領域の刈り取りを行うときに側辺６１側に刈葉を飛ばすには、反転して刈り取り作業を行うと側辺６２側に刈葉が飛ばされることになる。そのため、作業者は元の開始側の端辺６４の位置まで破線で示すように戻る必要があり、復進時のみしか刈り取り作業を行うことができない。
【００３７】
したがって、電動モータ１９によりカッター１３を回転させて刈り取り作業を行うと、カッター１３を正逆両方向に回転させることによって一方側に刈葉を寄せることができる。特に、草刈場が図１０において側辺６２側が高くなった土手のような傾斜地である場合には、作業者が往復移動時のいずれでも低地側に向けて刈葉を寄せることができ、刈り取り作業性が良好となる。
【００３８】
本発明は前記実施の形態に限定されるものではなく、その要旨を逸脱しない範囲で種々変更可能である。例えば、本発明は直動タイプの刈払機や、走行台車に駆動源とカッターとを装着するようにしたタイプの刈払機にも適用することができる。
【図面の簡単な説明】
【００３９】
【図１】（Ａ）は刈払機本体にエンジンを装着した状態を示し、（Ｂ）は刈払機本体に電動モータを装着した状態を示す。
【図２】図１（Ａ）に示す刈払機の一部を示す拡大断面図である。
【図３】（Ａ）はエンジンの正面図であり、（Ｂ）は図３（Ａ）に示すエンジンの側面図である。
【図４】図１（Ｂ）に示す刈払機の一部を示す拡大断面図である。
【図５】（Ａ）は電動モータの正面図であり、（Ｂ）は図５（Ａ）に示す電動モータの側面図である。
【図６】（Ａ）は従動側ジョイントの正面図であり、（Ｂ）は図６（Ａ）に示す従動側ジョイントの側面図である。
【図７】図２における横断面図である。
【図８】（Ａ）は図１（Ｂ）に示すハンドルに設けられる切替えスイッチを拡大して示す斜視図であり、（Ｂ）は切替えスイッチの回路図である。
【図９】（Ａ）は片刃式のカッターの平面図であり、（Ｂ）は両刃式のカッターの平面図である。
【図１０】（Ａ）は両刃式のカッターによる刈り取り作業手順を示す概略図であり、（Ｂ）は片刃式のカッターによる刈り取り作業手順を示す概略図である。
【符号の説明】
【００４０】
１０  操作アーム
１３  （両刃式）カッター
１３ａ（片刃式）カッター
１６  ハンドル
１７  従動側ジョイント
１８  エンジン
１９  電動モータ
３０  エンジン出力側ジョイント
３１  モータ出力側ジョイント
４５  切替えスイッチ
【図１】
2006314277.tif 000003
【図２】
2006314277.tif 000004
【図３】
2006314277.tif 000005
【図４】
2006314277.tif 000006
【図５】
2006314277.tif 000007
【図６】
2006314277.tif 000008
【図７】
2006314277.tif 000009
【図８】
2006314277.tif 000010
【図９】
2006314277.tif 000011
【図１０】
2006314277.tif 000012